(57)【要約】【課題】筐体と枠部間の隙間の遊技場ごとの違いに拘わらず遊技島設備に遊技機をガタツキ無く適切に設置し得ると共に、設置工事を円滑に実施し得るようにした遊技機及び遊技機用スペーサ保持具を提供する。【解決手段】筐体６を遊技島設備の枠部に釘、木ねじ等の固定部材で固定する際に筐体６と枠部間の隙間に挿入されるスペーサ５８を固定枠部材５５に着脱自在に保持するスペーサ保持部５６を有しているため、遊技島設備の枠部の高さ寸法が遊技場ごとに違っていても、筐体６と枠部内面との間の隙間に拘わらずパチンコ機１をガタツキ無く適切に設置できる。また、異なる厚さ寸法の複数個のスペーサがスペーサ保持部に保持されるため、筐体６と枠部間の異なる隙間に対応する厚さのスペーサを適宜使用することができる。【選択図】図２
2008126004.tif 000002
【特許請求の範囲】
【請求項１】
開口を有する筐体と、該筐体に開閉自在に支持される前扉と、を有する遊技機本体を備えた遊技機において、
前記筐体を遊技島設備の枠部に釘、木ねじ等の固定部材で固定する際に前記筐体と前記枠部との間の隙間に挿入されるスペーサを、前記遊技機本体の一部に着脱自在に保持するスペーサ保持部を有し、かつ、
前記スペーサは、複数種の異なる厚さ寸法を有する複数個が前記スペーサ保持部に保持されてなる、
ことを特徴とする遊技機。
【請求項２】
前記スペーサ保持部は、前記遊技機本体の背面の一部に突出形成されて前記スペーサを係止する係止突起を有してなる、
請求項１記載の遊技機。
【請求項３】
前記スペーサは、前記固定部材を貫通可能な貫通開口を有し、かつ、
前記係止突起は、前記背面の一部にて互に所定距離をあけて配置された複数個で一組の突起であり、該一組の突起に前記スペーサを嵌め込む形で保持してなる、
請求項２記載の遊技機。
【請求項４】
前記スペーサは、前記固定部材を貫通可能な貫通開口を有し、かつ、
前記係止突起は、前記背面の一部にて互に所定の間隔をあけて複数本が配置され、それぞれが前記貫通開口を嵌め込む形で前記スペーサを保持する弾性凸部を有してなる、
請求項２記載の遊技機。
【請求項５】
前記スペーサは、前記隙間に挿入された状態にて前記筐体の振動を吸収し得る弾性材料からなる、
請求項１ないし４のいずれか１項記載の遊技機。
【請求項６】
前記遊技機は、前記遊技機本体に備えた遊技盤の遊技領域に遊技球を打ち出して遊技してなるパチンコ機である、
請求項１ないし５のいずれか１項記載の遊技機。
【請求項７】
前記遊技機は、複数の回胴リールを備え、メダルを用いて遊技してなるスロットマシンである、
請求項１ないし５のいずれか１項記載の遊技機。
【請求項８】
遊技機の筐体を遊技島設備の枠部に釘、木ねじ等の固定部材により固定する際に使用するスペーサを保持する遊技機用スペーサ保持具であって、
前記遊技機の遊技機本体の一部に装着手段を介して装着され、かつ、
保持する前記スペーサが、複数種の異なる厚さ寸法を有する複数個からなる、
ことを特徴とする遊技機用スペーサ保持具。
【請求項９】
前記スペーサを係止する係止突起が突出形成されたプレート部材を有し、かつ、
該プレート部材は、前記遊技機本体の前記一部に前記装着手段により固定されてなる、
請求項８記載の遊技機用スペーサ保持具。
【発明の詳細な説明】
【技術分野】
【０００１】
本発明は、パチンコ機やスロットマシン等の遊技機及び該遊技機用のスペーサ保持具に係り、詳しくは、遊技機の遊技島設備への安定した設置工事の実施を可能にし得る遊技機及び遊技機用スペーサ保持具に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技領域下部のアウト口に流入するように構成されたものが知られている。
【０００３】
このようなパチンコ機では、一般入賞口に入球した際にはそれに対応した個数の遊技球が払い出され、また始動チャッカーに入球した際にはこれに基づいて当たり外れや演出パターンの抽選が行われると共に所定数の遊技球が払い出される。この抽選結果に基づき選定された演出パターンに応じて、例えば遊技盤の中央部分に設けられた液晶表示画面や各種の照明装置を介した視覚的表現、スピーカを介した聴覚的表現などを用い、様々な演出が行われる。なお、当たり（以下、「大当たり」ともいう）の発生時には、アタッカーと呼ばれる大入賞口が開放し、入球に対応して多量の遊技球が払い出される遊技者に有利な遊技状態となる。
【０００４】
また、遊技機、例えばスロットマシンとして、複数種の図柄からなるシンボルマークを円周方向に多数（通常は２１個）備えた横３列の回胴リールを、スタートレバー操作に基づいて回転させた後、３個のストップボタンを夫々押圧操作することで、各ボタンに対応する回胴リールを順次停止させて、各回胴リールに備えたシンボルマークのうちの所定の図柄同士が一致したときに当たりとなり、ボーナス取得として多数の遊技メダルがメダル受け皿に放出される構造のものが知られている。当該スロットマシンでは、主基板に装着されたＲＯＭの抽選機能により役抽選を行い、該対応役の結果に応じて回胴リールを停止制御させてシンボルマークを揃える際等に視覚的な演出を行っている。
【０００５】
上述したようなパチンコ機やスロットマシンは、遊技場（ホール）内の遊技島設備に複数台が横方向に配列されて、釘や木ねじ等により遊技島設備の枠部（例えば上枠材、下枠材）に打ち付けられて固定される。
【０００６】
ところで、パチンコ機やスロットマシン等の遊技機を遊技島設備に設置する場合には、遊技島設備にて列方向に複数が設けられた枠部のそれぞれにパチンコ機の筐体を嵌め込み、該筐体の上部及び下部を枠部の上枠材と下枠材にそれぞれ釘等で打ち付けることで固定し、その後、各筐体にそれぞれ対応する前扉を合わせて装着している。
【０００７】
一般に遊技島設備の枠部は長期間に亘って使用されるものであり、その期間中に何回も遊技機の入れ換え工事を行うと、上枠材及び下枠材の特定の位置に、釘等の打ち込みによる多数の穴が集中的に開くことになる。このため、交換すべきパチンコ機の筐体の固定のために釘等を打ち込んでも、釘等が上枠材及び下枠材に適正に固定されずにガタ付きが発生し、これにより遊技機の取付角度（いわゆる寝かせ）が所望の状態にならない等の不都合を招く虞がある。
【０００８】
そこで、遊技島設備の枠部と遊技機の筐体それぞれの釘の打込み箇所に釘打ちパーツを着脱自在に取り付け、遊技島設備の枠部に何回も遊技機の入れ換え工事を実施したとしても、釘等の打ち込みによって集中的に開いた多数の穴に起因するガタ付きを発生させずに、遊技機を遊技島設備に安定した状態で取り付け得るようにした遊技機の取付け構造が提案されている（特許文献１参照）。
【０００９】
【特許文献１】特開２００４−１６６７２６号公報
【発明の開示】
【発明が解決しようとする課題】
【００１０】
しかし、上記特許文献１に記載の遊技機の取付け構造によると、釘等の打ち込みによって集中的に開いた多数の穴に起因するガタ付きを抑えることは可能であるものの、遊技島設備の枠部の高さ寸法が遊技場ごとに異なることに起因して、遊技機の筐体を釘等で固定する際に筐体と枠部内面との間に生じる隙間によるガタツキを防止することはできない。すなわち、図１１（ａ）に示すパチンコ機の筐体６０を、図１１（ｂ）に示す遊技島設備の枠部５４に、筐体６０の内面６０ａから釘５９を打ち込んで固定する場合、枠部５４の高さ寸法等の違いに起因して、固定後の筐体６０と枠部５４との間に隙間ｓｐが生じてしまい、それに伴うガタツキを回避することは極めて困難である。
【００１１】
そこで本発明は、遊技機の筐体と遊技島設備の枠部間の隙間の遊技場ごとの違いに拘わらず遊技島設備に遊技機をガタツキ無く適切に設置し得ると共に、当該設置の工事を円滑に実施し得るように構成し、もって上述した課題を解決した遊技機及び該遊技機用のスペーサ保持具を提供することを目的とするものである。
【課題を解決するための手段】
【００１２】
請求項１に係る本発明は（例えば図１ないし図１０参照）、開口（６ｃ）を有する筐体（６、１０２）と、該筐体に開閉自在に支持される前扉（７）と、を有する遊技機本体（６と７、又は１０２と１０３）を備えた遊技機（１、１０１）において、
前記筐体（６、１０２）を遊技島設備（Ｉｓ）の枠部（５４）に釘、木ねじ等の固定部材（例えば５９）で固定する際に前記筐体（６）と前記枠部（５４）との間の隙間（ｓｐ）に挿入されるスペーサ（５８、６８）を、前記遊技機本体（６と７、又は１０２と１０３）の一部に着脱自在に保持するスペーサ保持部（５６、６６、７６）を有し、かつ、
前記スペーサ（５８、６８）は、複数種の異なる厚さ寸法（ａ）を有する複数個が前記スペーサ保持部（５６、６６、７６）に保持されてなる、
ことを特徴とする遊技機（１、１０１）にある。
【００１３】
請求項２に係る本発明は（例えば図５、図７及び図８参照）、前記スペーサ保持部（５６、６６、７６）が、前記遊技機本体（６と７、又は１０２と１０３）の背面の一部（５５）に突出形成されて前記スペーサ（５８、６８）を係止する係止突起（５７ａ，５７ｂ、６７、７７）を有してなる、
請求項１記載の遊技機（１、１０１）にある。
【００１４】
請求項３に係る本発明は（例えば図５、図８参照）、前記スペーサ（５８、６８）が、前記固定部材（５９）を貫通可能な貫通開口（５８ｂ、６８ｂ）を有し、かつ、
前記係止突起は、前記背面の一部（５５）にて互に所定距離をあけて配置された複数個で一組の突起（５７ａと５７ｂ、又は７７と７７と７７）であり、該一組の突起に前記スペーサ（５８、６８）を嵌め込む形で保持してなる、
請求項２記載の遊技機（１、１０１）にある。
【００１５】
請求項４に係る本発明は（例えば図７参照）、前記スペーサ（６８）が、前記固定部材（５９）を貫通可能な貫通開口（６８ｂ）を有し、かつ、
前記係止突起（６７）は、前記背面の一部（５５）にて互に所定の間隔をあけて複数本が配置され、それぞれが前記貫通開口（６８ｂ）を嵌め込む形で前記スペーサ（６８）を保持する弾性凸部（６７ａ）を有してなる、
請求項２記載の遊技機（１、１０１）にある。
【００１６】
請求項５に係る本発明は（例えば図４〜図６、図７、図８参照）、前記スペーサ（５８、６８）が、前記隙間（ｓｐ）に挿入された状態にて前記筐体（６、１０２）の振動を吸収し得る弾性材料からなる、
請求項１ないし４のいずれか１項記載の遊技機（１、１０１）にある。
【００１７】
請求項６に係る本発明は（例えば図１参照）、前記遊技機が、前記遊技機本体（６，７）に備えた遊技盤（３）の遊技領域（３ａ）に遊技球を打ち出して遊技してなるパチンコ機である、
請求項１ないし５のいずれか１項記載の遊技機にある。
【００１８】
請求項７に係る本発明は（例えば図９参照）、前記遊技機が、複数の回胴リール（１１０ａ，１１０ｂ，１１０ｃ）を備え、メダルを用いて遊技してなるスロットマシン（１０１）である、
請求項１ないし５のいずれか１項記載の遊技機にある。
【００１９】
請求項８に係る本発明は（例えば図４、図１０参照）、遊技機（１、１０１）の筐体（６、１０２）を遊技島設備（Ｉｓ）の枠部（５４）に釘、木ねじ等の固定部材（５９）により固定する際に使用するスペーサ（５８，６８）を保持する遊技機用スペーサ保持具（５６’、６６’、７６’）であって、
前記遊技機（１、１０１）の遊技機本体（６と７、又は１０２と１０３）の一部に装着手段（６４，６５，７１）を介して装着され、かつ、
保持する前記スペーサ（５８、６８）が、複数種の異なる厚さ寸法（ａ）を有する複数個からなる、
ことを特徴とする遊技機用スペーサ保持具（５６’、６６’、７６’）にある。
【００２０】
請求項９に係る本発明は（例えば図１０参照）、前記スペーサ（５８、６８）を係止する係止突起（５７ａ，５７ｂ、６７、７７）が突出形成されたプレート部材（７９）を有し、かつ、
該プレート部材（７９）は、前記遊技機本体（６と７、又は１０２と１０３）の前記一部に前記装着手段（６４，６５，７１）により固定されてなる、
請求項８記載の遊技機用スペーサ保持具（５６’、６６’、７６’）にある。
【００２１】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００２２】
請求項１に係る本発明によると、筐体を遊技島設備の枠部に釘、木ねじ等の固定部材で固定する際に筐体と枠部との間の隙間に挿入されるスペーサを、遊技機本体の一部に着脱自在に保持するスペーサ保持部を有するので、遊技島設備の枠部の高さ寸法が遊技場ごとに違っていても、筐体と枠部内面との間の隙間に拘わらず遊技機をガタツキ無く適切に設置することができる。しかも、作業者がスペーサ保持部から必要なスペーサを適宜取り出しつつ速やかに遊技機の設置工事を進めることができ、円滑な作業性を提供することができる。また、遊技場にて遊技機を新台（新しい遊技機）に入れ替えた場合、取り外した古い遊技機は、該取り外し作業に伴って除去された古いスペーサをスペーサ保持部に再び保持させた状態で、中古台としてリユースすることができる。当該中古台を、他の遊技場にて再び設置する場合や、同じ遊技場において設置位置を移動させるような場合においても、設置工事を円滑に進めることができると共に、スペーサを紛失するような不都合を防ぐことができる。更に、複数種の異なる厚さ寸法を有する複数個のスペーサがスペーサ保持部に保持されるので、遊技機筐体と枠部間の異なる隙間に対応する厚さのスペーサを、その場に応じて適宜使用することができる。そして、隙間がより広い場合には、例えば２個のスペーサを重ねて使用することもでき、異なる様々の状況に即応することができる。
【００２３】
請求項２に係る本発明によると、スペーサ保持部が、遊技機本体の背面の一部に突出形成されてスペーサを係止する係止突起を有するので、遊技機の製造元からの出荷の際や、リユースのために遊技場から搬送される際、スペーサ保持部にスペーサを装着する作業を極めて簡単に行うことができ、作業性が極めて良好となる。
【００２４】
請求項３に係る本発明によると、スペーサが、固定部材を貫通可能な貫通開口を有し、係止突起が、互に所定距離をあけて配置された複数個で一組の突起であり、該一組の突起にスペーサを嵌め込む形で保持するので、該スペーサを二本の指で摘むことで極めて容易に取り外すことができ、また、該一組の突起にスペーサを押し込むだけで極めて容易に装着することができる。
【００２５】
請求項４に係る本発明によると、スペーサが、固定部材を貫通可能な貫通開口を有し、係止突起が、互に所定の間隔をあけて複数本が配置され、それぞれが貫通開口を嵌め込む形でスペーサを保持する弾性凸部を有するので、複数本の係止突起を遊技機本体背面の一部に植設するだけで、スペーサ保持部を極めて容易に作製することができる。
【００２６】
請求項５に係る本発明によると、スペーサが、隙間に挿入された状態にて筐体の振動を吸収し得る弾性材料からなるので、遊技者が遊技機を叩いた（所謂ドツキ）際の衝撃をスペーサによって適宜吸収し、振動が遊技機に与える悪影響を極めて有効に軽減することができる。
【００２７】
請求項６に係る本発明によると、スペーサ保持部をパチンコ機に適用したことにより、遊技盤の流下する遊技球の動き（入賞口への入賞率、障害釘に対する遊技球の絡み具合など）に影響する遊技機本体の前後方向での傾斜程度（所謂寝かせ）を、スペーサ保持部に保持したスペーサを使用することで、より適切に調整しながら設置工事を実施することができる。
【００２８】
請求項７に係る本発明によると、スペーサ保持部をスロットマシンに適用したことにより、複数の回胴リールの回転状態に影響し得る遊技機本体の傾斜程度を、スペーサ保持部に保持したスペーサを使用することで、より適切に調整しながら設置工事を実施することができる。
【００２９】
請求項８に係る本発明によると、遊技機用スペーサ保持具を、遊技機本体の一部に装着手段を介して装着するだけで、筐体と枠部内面との間の隙間に拘わらずガタツキ無く設置できるスペーサを保持した構造の遊技機を簡単に得ることができる。そして、スペーサが、複数種の異なる厚さ寸法を有する複数個からなるので、このような遊技機用スペーサ保持具を遊技機に装着するだけで、遊技機筐体と枠部間の異なる隙間に対応する厚さのスペーサをその場に応じて適宜使用できる構造を備えた遊技機を簡単に得ることができる。
【００３０】
請求項９に係る本発明によると、スペーサを係止する係止突起が突出形成されたプレート部材を装着手段によって遊技機本体の一部に固定するだけで、スペーサを簡単な操作で容易に脱着できる構造を備えた遊技機を簡単に得ることができる。
【発明を実施するための最良の形態】
【００３１】
以下、本発明に係る遊技機及び該遊技機用のスペーサ保持具の実施形態として、遊技場等に設置されるパチンコ機及び該パチンコ機のスペーサ保持具を図面に沿って説明する。なお、図１は本実施形態におけるパチンコ機の外部構造を示す正面図である。
【００３２】
＜第１実施形態＞
図１に示すように、パチンコ機（遊技機）１は、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たりが発生した状態でアタッカー５に入球した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００３３】
本パチンコ機１は、開口を有する枠体状の筐体６と、遊技盤３を支持した形で筐体６に開閉可能に支持された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における上部左右、及び下部の皿ユニット１６の左右には、スピーカ（図示せず）を有する放音装置１２が夫々に配設されている。そして、前扉７の上部における両放音装置１２，１２の間には、演出用照明装置８が配設されている。なお、筐体６及び前扉７等により遊技機本体が構成されている。
【００３４】
また、ガラス枠１０における中央部右方には、前扉７を筐体６側に施錠又は解放し、或いは、ガラス枠１０を前扉７側に施錠又は解放するための施錠装置１３が配設されている。なお、図１中の符号１４は、不図示の発射装置によって打ち出された遊技球を遊技盤３側に案内するガイドレールを示している。本パチンコ機１には、遊技中に遊技領域３ａにて入賞することなく落下してアウト口（図示せず）に進入した遊技球をパチンコ機背面側に導くアウト球通路（図示せず）が設けられている。
【００３５】
そして、前扉７における下部中央には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６の中央部左方には、該皿ユニット１６上の遊技球を球発射装置（図示せず）付近から皿ユニット下部の球排出口（図示せず）を通して下方に排出するための第１球抜きボタン２０ａが配設されており、皿ユニット１６の中央部下方には、皿ユニット１６上の遊技球を球供給口１７付近から上記球排出口を通して下方に排出するための第２球抜きボタン２０ｂが配設されている。
【００３６】
また、前扉７における皿ユニット１６の右側下方には、上記球発射装置を操作して遊技球を遊技盤３に向けて打ち出すための発射ハンドル２が設けられている。更に、皿ユニット１６の下部左方には、台座部１５と灰皿２１とが配設されており、台座部１５には、中央部に遊技参加ボタン２２が配設され、かつ該参加ボタン２２の左右に選択ボタン１８ａ，１８ｂが夫々配設されている。
【００３７】
遊技領域３ａの中央部分には、ステージＳを有するセンター飾り２３が配設されている。センター飾り２３の下部左右には、大当たり抽選に寄与しない一般の入賞が行われる入賞口２５，２６が配設されており、センター飾り２３の下方には、始動チャッカー２７と、アタッカー５とが順次配設されている。
【００３８】
始動チャッカー２７は、大当たり抽選実行の契機となり得る入賞が行われるものであり、開放位置と閉止位置とに開閉動作する。始動チャッカー２７の直上方には、所謂命釘としての一対の障害釘３０が打ち込まれている。また、アタッカー５は、大当たり発生時に開放され、遊技盤３の遊技領域３ａに打ち出されて転動落下する遊技球を入賞させるものであり、大当たり発生中、１回の開放で例えば９個の入球を完了した時点で閉じ、当該開閉動作を例えば１５回（１５ラウンド）繰り返すように構成される。
【００３９】
遊技領域３ａには、センター飾り２３の四方に風車３１が夫々配設されており、ステージＳの下方における始動チャッカー２７の左側には、スルーゲート３２が配設されている。このスルーゲート３２は、始動チャッカー２７を開閉動作させるための普通図柄抽選の契機となる遊技球通過が行われる役物である。
【００４０】
遊技領域３ａにおけるスルーゲート３２、入賞口２５，２６及び始動チャッカー２７等の周囲には、センター飾り２３のステージＳから零れた遊技球や、発射されてからステージＳに関与せずに落下してくる遊技球を適宜散らし、或いは入球に導くようにするための障害釘３３を含む多数の障害釘が打ち込まれている。
【００４１】
上記センター飾り２３は、その中央部に、遊技盤３側に固定された画像表示装置３５の画面を露出する開口３６を有し、左上部にワープ導入口３７を有し、開口３６の下側に上記ステージＳを有し、該ステージＳの下側に、ステージＳ上で転動して該ステージＳの所定位置の落下孔（図示せず）に落下した遊技球を始動チャッカー２７に向け放出する放出口４９を有している。ワープ導入口３７に対向するように、一対の障害釘３９が打ち込まれている。ワープ導入口３７の周囲や上方側にも、遊技球を適宜散らし、或いは入球に導くようにするための多数の障害釘（図示せず）が打ち込まれている。このような本パチンコ機１では、遊技領域３ａに打ち出された遊技球を始動チャッカー２７等に、ステージＳを介して入球させ又はステージＳを介さず直接入球させ得るように遊技が進められる。
【００４２】
なお、上記「ワープ導入」という語句は、遊技領域３ａに打ち出された遊技球を、当該遊技領域３ａの比較的下側に位置する不図示の道釘等を経ることなく、始動チャッカー２７の上に導くことを意味する概念である。また、上記「道釘」とは、遊技領域３ａにおいて始動チャッカー２７左右に打ち込まれた複数本の障害釘（図示せず）の列を意味するもので、上方から転動落下してきた遊技球を始動チャッカー２７方向に導く役割を担っている。
【００４３】
ついで、本パチンコ機１の背面構造について図２を参照して説明する。同図は、本パチンコ機１の背面構造を示す背面図である。
【００４４】
すなわち、図２に示すように、パチンコ機１の前扉背面における上部左方には、賞球タンク４３が取り付けられており、この賞球タンク４３の下方に、サブ制御基板３８、主制御基板４０、及び払出し制御基板５１がこの順に配設されている。また、前扉背面における上部右方には、外部端子板５２が取り付けられており、この外部端子板５２の下方に、整列待機通路４５、賞球装置４６、賞球排出通路４７、電源ユニット４１、及び発射装置（図示せず）用の発射制御基板５３がこの順に配設されている。パチンコ機１の前扉背面における左側部には、施錠装置１３が配設されている。
【００４５】
そして、筐体６及び前扉７等からなる遊技機本体の背面下部には、左右幅方向に亘って固定枠部材５５が固定されており、該固定枠部材５５には、複数個（本実施形態では６個）のスペーサ５８を有するスペーサ保持部５６が取り付けられている。このスペーサ保持部５６については、後に詳述する。
【００４６】
次に、上述の構成を有するパチンコ機１を複数台配置する遊技島設備について、図３及び図４を参照して説明する。なお、図３は遊技島設備Ｉｓを示し、（ａ）は遊技島設備Ｉｓのパチンコ機設置前の状態を示す正面図であり、（ｂ）は遊技島設備Ｉｓのパチンコ機設置過程を示す正面図である。また、図４は遊技島設備Ｉｓにパチンコ機１の筐体６を固定した状態を示す正面図である。
【００４７】
遊技島設備Ｉｓは、図３（ａ）に示すように、同図左右方向に延在するランプ板６３及び島台６１と、これら島台６１とランプ板６３との間に配置された枠部５４とを有している。この枠部５４は、ランプ板６３側に配置された上枠材４８と、島台６１側に配置された下枠材６２と、列方向（図３の左右方向）に所定の間隔（少なくとも筐体６を収容可能な間隔）をあけて立設された複数個の側枠材５０とによって囲まれた複数の収容空間５４ａを有している。なお、図３では、収容空間５４ａを４個のみ描いているが、実際には更に多くの収容空間５４ａが列方向に設けられる。
【００４８】
また、図３（ｂ）に示すように、図３（ａ）に示した状態の収容空間５４ａには、パチンコ機１から取り外した筐体６が収容されて固定される。当該固定は、図４に示すように、収容空間５４ａに収容した筐体６の、下枠材６２上に載置した下枠６ｂの内面側から適宜の位置に釘５９を打ち込み、下枠６ｂを下枠材６２に固定する。更に、上枠６ａと上枠材４８との間の隙間ｓｐに、スペーサ保持部５６（図２参照）から取り外した適宜の厚さのスペーサ５８を例えば４個挿入し、この状態で上枠６ａの内面側においての各スペーサ５８にそれぞれ対向する位置に釘（固定部材）５９を打ち込む。
【００４９】
この際、上枠６ａの外面側（つまり、図４における上面側）に突出する釘５９の先端がスペーサ５８の貫通開口５８ｂを貫通して上枠材４８に打ち込まれる。この工程が、上枠６ａの他の部位においても同様に行われることで、筐体６は枠部５４の収容空間５４ａ内にて、図４及び図６に示すように、上枠材４８との間の隙間ｓｐに所要数のスペーサ５８を介在した状態で適正に固定されることになる。図６は、スペーサ５８を介在して筐体６を枠部５４に固定する際の状態を示す図である。なお、図４中の符号６ｃは、筐体６の内側面で区画される開口を示している。
【００５０】
引き続き、収容空間５４ａ内にて固定された筐体６に前扉７を開閉自在に装着するなどにより、図３（ｂ）の左側に示すように、枠部５４にパチンコ機１が固定される。これらと同様の工程を更に続行することにより、所要個数のパチンコ機１が遊技島設備Ｉｓに配置されることになる。なお、ランプ板６３には、各パチンコ機１にそれぞれ対応して、データ表示器（図示せず）が配置される。
【００５１】
ついで、図５を参照して、本実施形態のスペーサ保持部５６について説明する。図５はスペーサ保持部５６及びスペーサ５８を示し、（ａ）は固定枠部材５５に固定されたスペーサ保持部５６を示す斜視図、（ｂ）はスペーサ５８を拡大して示す正面図、（ｃ）はスペーサ５８を拡大して示す側面図である。
【００５２】
図５（ａ）に示すように、遊技機本体背面に固定された固定枠部材５５の外面（背面）には、スペーサ５８を遊技機本体背面に着脱自在に保持するスペーサ保持部５６が配置されている。スペーサ５８は、筐体６を遊技島設備Ｉｓの枠部５４に釘５９、木ねじ等の固定部材で固定する際に筐体６と枠部５４との間の隙間ｓｐに挿入されるものであり、複数種の異なる厚さ寸法ａ（図５(c)）を有する複数個がスペーサ保持部５６に保持される。つまり、図２及び図５に示すように、スペーサ保持部５６に保持されるスペーサ５８が６個ある場合、図の左側に厚さ寸法ａの最も薄いスペーサ５８を２個保持し、図の右側に厚さ寸法ａの最も厚いスペーサ５８を２個保持し、これらの間に中間の厚さ寸法ａを有する２個のスペーサ５８を保持する。
【００５３】
スペーサ保持部５６は、遊技機本体背面の固定枠部材５５に突出形成されてスペーサ５８を係止する係止突起５７ａ，５７ｂを有している。これら係止突起５７ａ，５７ｂは、固定枠部材５５にて互に所定距離をあけて配置された複数個（ここでは２個）で一組の突起であり、該一組の突起にスペーサ５８を嵌め込む形で保持するように構成されている。
【００５４】
スペーサ５８は、図５（ｂ），（ｃ）に示すように、釘（固定部材）５９を貫通可能な貫通開口５８ｂを内方に有する正面視正方形状からなるもので、外側面５８ａを片手の例えば親指と人差し指とで摘んで把持し、貫通開口５８ｂを係止突起５７ａ，５７ｂに押し込むと、それぞれの先端が互いに逆側に向く鉤状の係止突起５７ａ，５７ｂが接近するように撓み、貫通開口５８ｂが固定枠部材５５側に通過した時点で係止突起５７ａ，５７ｂが復元するため、クリック感を伴ってスペーサ５８が係止（保持）される。逆に、係止突起５７ａ，５７ｂに保持されたスペーサ５８の外側面５８ａを摘んで把持し、これら係止突起５７ａ，５７ｂから引き抜くように引っ張ることで、スペーサ５８をスペーサ保持部５６から取り外すことができる。
【００５５】
ついで、図７及び図８を参照して、スペーサ保持部及びスペーサの変形例について説明する。なお、両図は、それぞれ異なる構成の第１及び第２変形例を示す斜視図である。また、両図においては、便宜上、厚さ寸法が同じスペーサ６８のみを記載しているが、実際には、図５で説明したように厚さ寸法が複数個（例えば２個）ずつ異なるスペーサ６８を保持するように構成されている。
【００５６】
第１変形例は、図７に示すように、固定枠部材５５に配置されたスペーサ保持部６６に関するものである。すなわち、このスペーサ保持部６６では、固定枠部材５５に、係止突起６７が互に所定の間隔（保持したスペーサ６８が接触しない程度の間隔）をあけて複数本（例えば６本）が配置され、それぞれが貫通開口６８ｂを嵌め込む形でリング状のスペーサ６８を保持する弾性凸部６７ａを有している。
【００５７】
上記貫通開口６８ｂは、スペーサ５８の貫通開口５８ｂと同様、釘５９や木ねじ等の固定部材が貫通される部分であり、少なくとも弾性凸部６７ａが最大に突出したサイズより小さい内径となるように形成されている。この弾性凸部６７ａは、棒状の係止突起６７の両側面に出没自在に設けられるもので、自由状態では図７に示すように外方に突出し、スペーサ６８の貫通開口６８ｂに被嵌される際には、該貫通開口６８ｂの内径に沿って撓み、貫通開口６８ｂが固定枠部材５５側に通過した時点で最大幅に突出し、スペーサ６８を係止する。
【００５８】
したがって、環状の外側面６８ａを片手で摘んで把持し、貫通開口６８ｂを係止突起６７に押し込むと、弾性凸部６７ａが撓み、貫通開口６８ｂが通過した時点で突出し、クリック感を伴ってスペーサ６８が保持される。逆に、係止突起６７に保持されたスペーサ６８の外側面６８ａを摘んで把持し、係止突起６７から引き抜くように引っ張ることで、スペーサ６８をスペーサ保持部６６から取り外すことができる。
【００５９】
一方、第２変形例は、図８に示すように、固定枠部材５５に配置されたスペーサ保持部７６に関するものである。すなわち、このスペーサ保持部７６では、固定枠部材５５に、互に所定距離をあけて配置された複数個（ここでは３個）で一組の係止突起７７，７７，７７が固定されており、該一組の係止突起７７，７７，７７にリング状のスペーサ６８が嵌め込まれる形で保持される。該一組の係止突起７７，７７，７７は、保持すべきスペーサ６８の貫通開口６８ｂを中心として三方に放射状に植設されるもので、それぞれが、中心側に向かって突出する鉤状部を先端に有している。
【００６０】
したがって、環状の外側面６８ａを片手で摘んで把持し、外側面６８ａを係止突起７７，７７，７７の中心側に押し込むようにすると、係止突起７７がそれぞれに外方側に撓み、外側面６８ａが固定枠部材５５側に通過した時点で復元し、これによりスペーサ６８が保持される。逆に、係止突起７７，７７，７７に保持されたスペーサ６８の外側面６８ａを摘んで把持し、これら係止突起７７，７７，７７から引き抜くように引っ張ることで、スペーサ６８をスペーサ保持部７６から取り外すことができる。
【００６１】
以上の実施形態及び第１、第２変形例では、本発明を、遊技媒体として遊技球を用いるパチンコ機１に適用したが、同様の構造を、複数の回胴リール１１０ａ，１１０ｂ，１１０ｃ（図９参照）を備え、かつ遊技媒体としてのメダルを用いて遊技する遊技機であるスロットマシン１０１に適用することもできる。
【００６２】
＜第２実施形態＞
以下、スロットマシンに本発明を適用した第２実施形態について図９を参照して説明する。図９は、スロットマシン１０１の外部構造を示す斜視図である。同図において、スロットマシン１０１は、箱状の筐体１０２と、蝶番機構を介して筐体１０２に対し開閉可能に取り付けられた前扉１０３とを備えている。なお、これら筐体１０２と前扉１０３等により遊技機本体が構成されている。
【００６３】
前扉１０３の遊技者に面する側は、視覚効果を高めてデザインされた所謂化粧板が設けられて、上部パネル部１０４と下部パネル部１０５とに略区分けされている。上部パネル部１０４には、高輝度の発光ダイオード等を内部に備えて光による演出を行う照明装置１０６と、スピーカを内部に備えて演出効果音を発する放音装置１０７ａ，１０７ｂと、がそれぞれ配設されている。また、放音装置１０７ａ，１０７ｂの間には、透明な硬質プラスチック板等が嵌め込まれて形成された略長方形の表示窓１０８が形成され、表示窓１０８を通して前扉１０３の裏面側に配置されている液晶等の画像表示装置１０８ａの画像が表示される。
【００６４】
上部パネル部１０４のほぼ中央には、硬質プラスチックで形成されたパネル板が取り付けられている。パネル板の中央には略長方形の透明な表示窓１０９が形成されており、表示窓１０９を通して筐体１０２内に取り付けられている３個の円筒形状の回胴リール１１０ａ，１１０ｂ，１１０ｃが目視されるようになっている。
【００６５】
ここで、３個の回胴リール１１０ａ，１１０ｂ，１１０ｃはその回転軸方向に一列に並べて配置され、また、それぞれの外周面には複数種類の図柄が描かれている。遊技者は、表示窓１０９を通して、一のリールに描かれた上下方向３個の図柄と、横方向に配列された回胴リール３列の図柄を目視することができる。そして、遊技者の操作に応じて各回胴リール１１０ａ，１１０ｂ，１１０ｃの回転及び停止の動作が行われ、これにより、表示される回胴リールの図柄の種類が変更されるようになっている。
【００６６】
また、上部パネル部４のパネル板には、ドットマトリクスＬＥＤ又はランプ等で形成された遊技情報表示部１１１が配置されている。遊技情報表示部１１１は、例えば、入賞役等への内部当選の状態、スロットマシン１０１にクレジットされているメダル数、又は入賞によって獲得したメダル数などの遊技状態に関する情報を演出表示する。上部パネル部１０４の両側部には、蛍光灯又は高輝度発光ダイオードを備える演出用の照明装置１１２ａ，１１２ｂが設けられている。
【００６７】
また、下部パネル部１０５には、前面パネル１２２の前側において、遊技者側に向かいながら若干下方に傾斜した平面を有する操作卓１２３が一体的に形成され、遊技メダル（図示せず）を投入するための投入口１１３ａを有するメダル投入部１１３と、ベットボタン１１４と、回胴リール１１０ａ〜１１０ｃの回転動作を開始させるスタートレバー１１５と、回転している回胴リール１１０ａ〜１１０ｃをそれぞれ停止させるためのストップボタン１１６ａ，１１６ｂ，１１６ｃとが設けられている。なお、図中の符号１１３ｂは、前面パネル１２２の前方に若干の隙間をあけた形で起立するメダル受け壁部を示している。
【００６８】
すなわち、遊技者がベットボタン１１４を押圧操作することで当該ゲームに賭けるメダル数を提示し、スタートレバー１１５を傾倒操作すると各回胴リール１１０ａ〜１１０ｃが一斉に回転する。このとき、スロットマシン１０１では、当該ゲームの入賞に係る役（入賞役）の抽選が内部的処理により行われる。各回胴リール１１０ａ〜１１０ｃが所定の回転数に達すると、ストップボタン１１６ａ〜１１６ｃによるリール停止操作が準備完了の状態となる。この状態で遊技者がストップボタン１１６ａ〜１１６ｃを任意の順序で押圧操作することにより、対応する回胴リールがそれぞれ停止制御される。そして、停止した３個の回胴リール１１０ａ〜１１０ｃによって表示される図柄が上述の抽選で当選した役に対応する組み合せで有効なライン上に揃うと入賞が確定し、その入賞役の種類に応じた枚数のメダルが遊技者に配当される。
【００６９】
また、下部パネル部１０５の前面右側には、前扉１０３を開錠するための鍵が挿入される鍵穴１１７が設けられている。遊技場の係員等が鍵穴１１７に所定の鍵を挿入して開錠操作すると、蝶番機構によって筐体１０２に取り付けられている前扉１０３を前方へ開くことができ、また前扉１０３を筐体１０２側に閉じると、自動的にこれらを施錠するようになっている。下部パネル部１０５には、スロットマシン１０１の型式などを遊技者へ認識させるため、登場キャラクターなどの絵を表示するパネル１１８が配置されている。前扉１０３の下部には、入賞時にメダルを排出するためのメダル排出口１１９と、排出されたメダルを貯留する受け皿１２０とが配置されている。更にメダル排出口１１９に隣接して、不図示のスピーカを内蔵する放音装置１２１が配置されている。
【００７０】
以上の構成を有するスロットマシン１０１においても、筐体１０２と前扉１０３等からなる遊技機本体の背面に、図１ないし図８を参照して説明したスペーサ保持部５６，６６，７６を設けて、それぞれにスペーサ５８やスペーサ６８を保持する構成とすることができる。
【００７１】
当該構成を有するスロットマシン１０１にあっても、前述した第１実施形態（第１、第２変形例を含む）におけるパチンコ機１の場合と同様の作用効果を得ることができると共に、スペーサ保持部５６，６６，７６をスロットマシン１０１に適用したことで、回胴リール１１０ａ，１１０ｂ，１１０ｃの回転状態に影響し得る遊技機本体の傾斜程度を、スペーサ保持部５６，６６，７６に保持したスペーサ５８，６８を使用して、より適切に調整しながら設置工事を実施できるという効果も得ることができる。
【００７２】
以上のように第１及び第２実施形態、並びに第１及び第２変形例によると、筐体６，１０２を遊技島設備Ｉｓの枠部５４に釘５９、木ねじ等の固定部材で固定する際に筐体６，１０２と枠部５４との間の隙間ｓｐに挿入されるスペーサ５８，６８を、遊技機本体の一部（例えば固定枠部材５５）に着脱自在に保持するスペーサ保持部５６，６６，７６を有している。このため、遊技島設備Ｉｓの枠部５４の高さ寸法が遊技場ごとに違っていても、筐体６，１０２と枠部５４内面との間の隙間ｓｐに拘わらずパチンコ機１やスロットマシン１０１をガタツキ無く適切に設置することができる。
【００７３】
しかも、作業者がスペーサ保持部５６，６６，７６から必要なスペーサ５８や６８を適宜取り出しつつ速やかにパチンコ機１やスロットマシン１０１の設置工事を進めることができ、円滑な作業性を提供することができる。また、遊技場にてパチンコ機１やスロットマシン１０１を新台に入れ替えた場合、取り外した古いパチンコ機１やスロットマシン１０１は、該取り外し作業に伴って除去された古いスペーサ５８や６８をスペーサ保持部５６，６６，７６に再び保持させた状態で、中古台としてリユースすることができる。当該中古台を、他の遊技場にて再び設置する場合や、同じ遊技場において設置位置を移動させるような場合においても、設置工事を円滑に進めることができると共に、スペーサを紛失するような不都合を防ぐことができる。
【００７４】
また、複数種の異なる厚さ寸法ａを有する複数個のスペーサ５８や６８がスペーサ保持部５６，６６，７６に保持されるので、筐体６，１０２と枠部５４間の異なる隙間ｓｐに対応する厚さのスペーサを、その場に応じて適宜使用することができる。そして、隙間ｓｐがより広い場合には、例えば２個のスペーサを重ねて使用することもでき、異なる様々の状況に即応することができる。そして、スペーサ保持部５６，６６，７６が、遊技機本体の背面の一部（例えば固定枠部材５５）に突出形成されてスペーサ５８，６８を係止する係止突起５７ａ，５７ｂ、６７、７７を有するので、パチンコ機１やスロットマシン１０１の製造元からの出荷の際や、リユースのために遊技場から搬送される際、スペーサ保持部５６，６６，７６にスペーサ５８，６８を装着する作業を極めて簡単に行うことができ、作業性が極めて良好となる。
【００７５】
更に、スペーサ５８，６８が、釘５９等の固定部材を貫通可能な貫通開口５８ｂ，６８ｂを有し、係止突起が、互に所定距離をあけて配置された複数個で一組の係止突起５７ａ，５７ｂ、７７であり、該係止突起５７ａ，５７ｂや係止突起７７，７７，７７にスペーサ５８や６８を嵌め込む形で保持するので、スペーサ５８，６８を二本の指で摘むようにすることで極めて容易に取り外すことができ、また、該係止突起５７ａ，５７ｂや係止突起７７，７７，７７にスペーサ５８や６８を押し込むだけで極めて容易に装着することができる。
【００７６】
そして、スペーサ６８が、釘５９等の固定部材を貫通可能な貫通開口６８ｂを有し、係止突起６７が、互に所定の間隔をあけて複数本が配置され、それぞれが貫通開口６８ｂを嵌め込む形でスペーサ６８を保持する弾性凸部６７ａを有するので、複数本の係止突起６７を遊技機本体背面の一部（例えば固定枠部材５５）に植設するだけで、スペーサ保持部６６を極めて容易に作製することができる。
【００７７】
また、スペーサ保持部５６，６６，７６をパチンコ機１に適用したことにより、遊技盤３ａの流下する遊技球の動き（入賞口への入賞率、障害釘に対する遊技球の絡み具合など）に影響する遊技機本体の前後方向での傾斜程度（所謂寝かせ）を、スペーサ保持部５６，６６，７６に保持したスペーサ５８，６８を使用することで、より適切に調整しながら設置工事を実施することができる。
【００７８】
＜第３実施形態＞
ついで、前述したパチンコ機１やスロットマシン１０１に固定配置したスペーサ保持部５６，６６，７６に代えて、例えば遊技機本体背面の固定枠部材５５に取り付けることにより、前述と同様の作用効果が得られるように構成した遊技機用スペーサ保持具５６’、６６’、７６’について図１０を参照して説明する。なお、図１０は遊技機用スペーサ保持具を示し、（ａ）は遊技機用スペーサ保持具５６’を示す斜視図、（ｂ）は遊技機用スペーサ保持具６６’を示す斜視図、（ｃ）は遊技機用スペーサ保持具７６’を示す斜視図である。
【００７９】
ここで、図１０（ａ）に示す遊技機用スペーサ保持具５６’は、図５を用いて説明したスペーサ保持部５６を、遊技機本体の一部に任意に装着し得るように構成したもの、図１０（ｂ）に示す遊技機用スペーサ保持具６６’は、図７を用いて説明したスペーサ保持部６６を、遊技機本体の一部に任意に装着し得るように構成したもの、図１０（ｃ）に示す遊技機用スペーサ保持具７６’は、図８を用いて説明したスペーサ保持部７６を、遊技機本体の一部に任意に装着し得るように構成したものである。
【００８０】
すなわち、遊技機用スペーサ保持具５６’は、スペーサ５８を係止する係止突起５７ａ，５７ｂが突出形成されたプレート部材７９を有している。また、遊技機用スペーサ保持具６６’、７６’は、それぞれ、スペーサ６８を係止する係止突起６７、７７が突出形成されたプレート部材７９を有している。これら遊技機用スペーサ保持具５６’、６６’、７６’は、それぞれ、装着手段を介してプレート部材７９が固定枠部材５５に固定されることで、パチンコ機１やスロットマシン１０１の遊技機本体の一部（例えば背面に備えた固定枠部材５５）に取り付けられる。なお、上記装着手段としては、木ねじ６５、釘７１、両面粘着テープ６４を採用することができる。
【００８１】
図１０（ａ），（ｂ），（ｃ）では、それぞれ、遊技機用スペーサ保持具５６’が両面粘着テープ６４で固定枠部材５５に固定される状態が描かれ、遊技機用スペーサ保持具６６’が木ねじ６５で固定枠部材５５に固定される状態が描かれ、遊技機用スペーサ保持具７６’が釘７１で固定枠部材５５に固定される状態が描かれているが、装着手段の使用はこれらに限定されることはなく、遊技機用スペーサ保持具５６’、６６’、７６’のうちの何れが両面粘着テープ６４、木ねじ６５、釘７１の何れで固定されてもよいことは勿論である。
【００８２】
以上説明した第３実施形態によれば、遊技機用スペーサ保持具５６’、６６’、７６’を、遊技機本体の一部に装着手段を介して装着するだけで、筐体６，１０２と枠部５４内面との間の隙間ｓｐに拘わらずガタツキ無く設置できるスペーサ５８，６８を保持した構造のパチンコ機１やスロットマシン１０１を簡単に得ることができる。また、スペーサ５８，６８が、複数種の異なる厚さ寸法を有する複数個からなるので、このようなスペーサ保持具５６’、６６’、７６’をパチンコ機１やスロットマシン１０１に装着するだけで、筐体６，１０２と枠部５４間の異なる隙間ｓｐに対応する厚さのスペーサ５８，６８をその場に応じて適宜使用できる構造を備えたパチンコ機１やスロットマシン１０１を簡単に得ることができる。
【００８３】
そして、スペーサ５８，６８を係止する係止突起５７ａ，５７ｂ、６７、７７が突出形成されたプレート部材７９を装着手段によって遊技機本体の一部に固定するだけで、スペーサ５８，６８を簡単な操作で容易に脱着できる構造を備えたパチンコ機１やスロットマシン１０１を簡単に得ることができる。また、装着手段として木ねじ６５、釘７１、両面粘着テープ６４を用いることができるので、プレート部材７９を遊技機本体の一部に容易に固定して、スペーサ５８，６８を簡単な操作で容易に脱着できる構造を備えたパチンコ機１やスロットマシン１０１を簡単に得ることができる。
【００８４】
なお、前述した第１ないし第３実施形態、並びに第１、第２変形例においては、スペーサ保持部５６，６６，７６、或いは、遊技機用スペーサ保持具５６’、６６’、７６’を遊技機本体の背面（筐体６、１０６の背面）に配置するように構成したが、これに限らず、スペーサ保持部５６，６６，７６や遊技機用スペーサ保持具５６’、６６’、７６’は、遊技機本体の一部であれば他の部位に配置することもできることは勿論である。
【００８５】
また、前述した第１ないし第３実施形態、並びに第１、第２変形例において、前述したスペーサ５８，６８が、隙間ｓｐに挿入された状態にて筐体６、１０２の振動を吸収し得るゴム材等の弾性材料から構成されることが好ましい。その場合、遊技者がパチンコ機１やスロットマシン１０１を叩いた際の衝撃をスペーサ５８，６８によって適宜吸収し、振動がパチンコ機１やスロットマシン１０１に与える悪影響を極めて有効に軽減することができる。
【００８６】
なお、スペーサ５８，６８の材料としては、上記ゴム材以外に、プラスチック（合成樹脂材料）、金属、木材等を用いることもでき、これらの場合には、弾性材料の場合のような振動吸収効果はあまり得られないものの、筐体６，１０２を枠部５４側に支持する際の強度が向上するという効果を得ることができる。また、スペーサ５８，６８を正方形状やリング状として説明したが、これらに限らず、三角形状や台形状等、種々の形状を採用することができる。
【００８７】
以上、本発明をその好適な実施の形態及び変形例に基づいて説明したが、本発明の遊技機及び遊技機用スペーサ保持具は、上記実施形態及び変形例の構成にのみ限定されるものではなく、上記実施形態及び変形例の構成から種々の修正及び変更を施した遊技機及び遊技機用スペーサ保持具も、本発明の範囲に含まれる。
【図面の簡単な説明】
【００８８】
【図１】本発明の第１実施形態におけるパチンコ機の外部構造を示す正面図である。
【図２】パチンコ機の背面構造を示す背面図である。
【図３】遊技島設備を示し、（ａ）は遊技島設備のパチンコ機設置前の状態を示す正面図であり、（ｂ）は遊技島設備のパチンコ機設置過程を示す正面図である。
【図４】遊技島設備にパチンコ機の筐体を固定した状態を示す正面図である。
【図５】スペーサ保持部及びスペーサを示し、（ａ）は固定枠部材に固定されたスペーサ保持部を示す斜視図、（ｂ）はスペーサを拡大して示す正面図、（ｃ）はスペーサを拡大して示す側面図である。
【図６】スペーサを介在して筐体を枠部に固定する際の状態を示す図である。
【図７】スペーサ保持部及びスペーサの第１変形例を示す斜視図である。
【図８】スペーサ保持部及びスペーサの第２変形例を示す斜視図である。
【図９】本発明の第２実施形態におけるスロットマシンの外部構造を示す斜視図である。
【図１０】遊技機用スペーサ保持具を示し、（ａ）〜（ｃ）はそれぞれ異なる遊技機用スペーサ保持具を示す斜視図である。
【図１１】パチンコ機の筐体を遊技島設備の枠部に固定する際の状態を示す図であり、（ａ）は主に筐体を示す斜視図、（ｂ）は主に枠部と筐体との間に生じる隙間を示す正面図である。
【符号の説明】
【００８９】
１    遊技機（パチンコ機）
３    遊技盤
３ａ    遊技領域
６ｃ    開口
６，７    遊技機本体（筐体、前扉）
５４    枠部
５５    遊技機本体の背面の一部（固定枠部材）
５６，６６，７６    スペーサ保持部
５６’，６６’，７６’    スペーサ保持具
５７ａ，５７ｂ，６７，７７    複数個で一組の突起（係止突起）
５８，６８    スペーサ
５８ｂ，６８ｂ    貫通開口
５９    固定部材（釘）
６４，６５，７１    装着手段（両面粘着テープ、木ねじ、釘）
６７    係止突起
６７ａ    弾性凸部
７９    プレート部材
１０１    遊技機（スロットマシン）
１０２，１０３    遊技機本体（筐体、前扉）
１１０ａ，１１０ｂ，１１０ｃ    回胴リール
ａ    スペーサの厚さ寸法
Ｉｓ    遊技島設備
ｓｐ    隙間
【図１】
2008126004.tif 000003
【図２】
2008126004.tif 000004
【図３】
2008126004.tif 000005
【図４】
2008126004.tif 000006
【図５】
2008126004.tif 000007
【図６】
2008126004.tif 000008
【図７】
2008126004.tif 000009
【図８】
2008126004.tif 000010
【図９】
2008126004.tif 000011
【図１０】
2008126004.tif 000012
【図１１】
2008126004.tif 000013